(57)【要約】【課題】リールなし釣竿において、片手で操作可能な電動釣竿を提供する。【解決手段】釣竿の握り部分10の内部に電源部12と電動モータ13と釣糸巻取りロール15を内蔵した。巻取りロール15に固定した釣糸25が外部に導出される挿通孔18から釣竿の先端部寄りに、釣糸25の巻取り又は繰出しを制御するための突起部材30を設けた。モータの駆動軸14と巻取りロール15とを直接接続し、モータの駆動軸14と巻取りロール15の回転方向を同一とし、電動モータ13の駆動軸14の方向を釣竿の長手方向と同一にした。突起部材30の突出方向を釣竿の長手方向に対して平面視右又は左方向に変更可能にした。握り部分10を釣竿本体と分離可能に別体のものとして着脱自在にした。電源部12を釣竿の外部に別体に形成してもよい。【選択図】図１
2007275078.tif 000002
【特許請求の範囲】
【請求項１】
釣竿の根元部側の握り部分(10)の内部に乾電池等の電源部(12)と、電動モータ(13)と、電動モータ(13)の駆動軸(14)に接続された釣糸巻取りロール(15)とを内蔵し、電源スイッチ(16)を投入することにより巻取りロール(15)が釣糸(25)を巻取ることができる電動釣竿において、
上記巻取りロール(15)に巻き取られる釣糸(25)が釣竿内部から外部に導出される挿通孔(18)から釣竿の先端部側寄りの適宜位置に、釣糸(25)の巻取り又は繰出しを制御するためのブレーキング用の突起部材(30)を設けたことを特徴とする電動釣竿。
【請求項２】
電動モータ(13)の駆動軸(14)と巻取りロール(15)との接続を駆動力伝達手段を介さずに直接接続して、電動モータ(13)の駆動軸(14)の回転方向と、巻取りロール(15)の回転方向を同一とし、
電動モータ(13)の駆動軸(14)の方向を釣竿の長手方向と略同一に設けたことを特徴とする請求項１に記載の電動釣竿。
【請求項３】
ブレーキング用の突起部材(30)の突出方向を、釣竿の長手方向に対して平面視右又は左方向に変更可能に設けたことを特徴とする請求項１又は２に記載の電動釣竿。
【請求項４】
電源部(12)と、電動モータ(13)と、釣糸巻取りロール(15)を内蔵する握り部分(10)を、釣竿本体と分離可能に別体のものとして形成して、この握り部分(10)を釣竿本体と着脱自在に構成したことを特徴とする請求項１乃至３のいずれかに記載の電動釣竿。
【請求項５】
電源部(12)を釣竿の外部に別体として形成したことを特徴とする請求項１乃至４の何れかに記載の電動釣竿。
【発明の詳細な説明】
【技術分野】
【０００１】
本発明は、釣糸を電動モータにより自動的に巻き取ることが可能な、リールを備えていない電動釣竿に関するものである。
【背景技術】
【０００２】
従来の釣竿においては、一般的には釣竿の根元部側の握り部前方に釣糸を巻き取るためのリールが設けられたものが存在しており、また、このリールの巻き取りに際して、電動モータを利用した電動リールを備えたものも各種存在している。
更に、電動モータを利用した電動釣竿関連のものとしては、下記特許文献に記載のものも提案されている。
【０００３】
特許文献１に記載の電動釣竿においては、釣糸の巻上げ及び繰出しの際に、釣竿を上下させる必要がなく、且つ手動巻き上げや繰出しをも可能としたものである。
特許文献２に記載のリールを内蔵した釣竿においては、釣竿の手元部分にリールを内蔵してこの手元部分が必要以上に太くならない構造を実現することを目的とするものである。
特許文献３に記載の電動リール付き釣り竿においては、部品点数を少なくした構造簡単なもので、釣糸を少しずつ繰出して所定の深さに容易に合わせることができるものを提供することを目的としたものである。
【特許文献１】特開２００４−２９０１５４号公報
【特許文献２】特開平１０−２３４２７６号公報
【特許文献３】実用新案登録第３１２５３００号公報
【発明の開示】
【発明が解決しようとする課題】
【０００４】
上記特許文献１の電動釣竿おいては、手動ギアを備えており、基本的には電動モータを備えているものの使用者の両方の手を使って操作することが前提となっている。
また、電動モータと糸巻ローラのローラ回転軸とは動力伝達機構を備え、この伝達機構の駆動力伝達を遮断する遮断機構も設けており、その構造が複雑となっている。
上記特許文献２のリールを内蔵した釣竿においても、従来のリールを釣竿の手元部分の内部に設置するというコンセプトから創案されており、そのリールの動きが釣竿の長手方向を軸とした回転と、その長手方向に沿った往復運動をさせる駆動手段を備えており、その構造は複雑とならざるを得ず、且つ、リールを回転する手動ハンドルを設けており、両手で操作することが基本となっている。
【０００５】
また上記特許文献３の電動リール付き釣竿においては、上記従来例に比較すると非常に構造簡単なものであるが、その特徴は、電動モータの回転駆動力を遮断する構造にあり、この遮断構造として、押圧片を利用して電動モータ自体を上下に回動させることができるように構成したものである。
そこで本発明においては、海釣りでも川釣りでも一般的に使用する釣竿において片手で釣糸を繰出し且つ巻き取ることができ、つまり身体障害者等であっても容易に片手で操作することができるような電動釣竿を提供することをその第一の課題としている。
【０００６】
通常は、魚釣り用ボートの縁や、海浜公園等の釣堀の柵等に支持具を固定し、その支持具に釣竿を取り付けて魚釣りを楽しむのであるが、この支持具の支持は、釣竿の根元部を上下回動可能に固定して、その少し前方位置で釣竿の下側と側方のみを支持するもので、釣竿のその前方支持位置の少し前を把持して竿を上下に揺動させる、所謂ポンピング動作を行うことができ、従来においては、このポンピング動作と共にリールを回転させて獲物を引き寄せ、釣り上げていたのである。
従って、ポンピング動作のための一方の手と、リールを回転させるための他方の手の両方の手を使用する必要があった。
【０００７】
しかし、身体障害者や怪我をした者等ハンディキャップを負った人々にとっては両手を十分に使えず、上記のポンピング動作とリールの巻取り動作を同時に行うことが出来ないという人もおり、一般の人と同様に魚釣りを楽しむことが出来ないという問題があった。
そこで、本発明においては、この問題の解決を図るべく、片手で上記２つの動作を行うことができないかという課題に取り組み、その問題を解決すべく本発明の創案に至ったのである。
【０００８】
勿論、上記特許文献にある通り、マイクロモータ等の電動モータを内蔵するものは各種存在するのであるが、本発明においては、あくまでも従来の釣竿と同じ外観形態を変更せずに、即ち、その釣竿の太さ等の大きさを全く変更させずに、その構造を極めて簡易なものとして上記課題を解決することをその第２の課題としているのである。
また、本発明においては、この電動釣竿を１本の完成した製品として実現するばかりでなく、通常の他の釣竿をも容易に電動釣竿に変更できること、即ち、他の普通の釣竿にも適用して電動釣竿に変更できることもその課題としている。
更には、片方の手を使用する際に、右手でも左手でも何れの手で操作するにしても都合の良いような構成とすることも本発明の課題である。  
【課題を解決するための手段】
【０００９】
上記の課題を解決するために、本発明の第１のものは、釣竿の根元部側の握り部分の内部に乾電池等の電源部と、電動モータと、電動モータの駆動軸に接続された釣糸巻取りロールとを内蔵し、電源スイッチを投入することにより巻取りロールが釣糸を巻取ることができる電動釣竿において、上記巻取りロールに巻き取られる釣糸が釣竿内部から外部に導出される挿通孔から釣竿の先端部側寄りの適宜位置に、釣糸の巻取り又は繰出しを制御するためのブレーキング用の突起部材を設けたことを特徴とする電動釣竿である。
【００１０】
本発明の第２のものは、上記第１の発明において、電動モータの駆動軸と巻取りロールとの接続を駆動力伝達手段を介さずに直接接続して、電動モータの駆動軸の回転方向と、巻取りロールの回転方向を同一とし、電動モータの駆動軸の方向を釣竿の長手方向と略同一に設けたことを特徴とする電動釣竿である。
本発明の第３のものは、上記第１又は第２の発明において、ブレーキング用の突起部材の突出方向を、釣竿の長手方向に対して平面視右又は左方向に変更可能に設けたことを特徴とする電動釣竿である。
【００１１】
本発明の第４のものは、上記第１乃至第３の発明において、電源部と、電動モータと、釣糸巻取りロールを内蔵する握り部分を、釣竿本体と分離可能に別体のものとして形成して、この握り部分を釣竿本体と着脱自在に構成したことを特徴とする電動釣竿である。
本発明の第５のものは、上記第１乃至第４の発明において、電源部を釣竿の外部に別体として形成したことを特徴とする電動釣竿である。
【発明の効果】
【００１２】
本発明の第１のものにおいては、釣竿の根元部側の握り部分の内部には電源部と電動モータと釣糸巻取りロールとが内蔵されており、電源スイッチのオン・オフ動作のみで簡単に釣糸の巻取りと繰出しが簡単に可能となる。
本発明では、電動モータとしてトルクのそう大きくないＤＣマイクロモータを使用しており、電源オフ状態では当然に自由に釣糸を繰出すことができ、且つ、電源オン状態でも獲物が釣針に掛かった状態で、獲物の引っ張り力が強く、モータのトルクを超えるような状態となれば、釣糸は繰出されるものである。
【００１３】
そして、本発明において極めて特徴的な技術的手段が、上記のブレーキング用の突起部材であり、この突起部材は、釣糸が握り部分の内部から外部に導出される挿通孔の位置から竿の先端部側の適宜位置に設けられている。
使用者は、この突起部材に釣糸を２、３回巻回して使用する。
この突起部材に釣糸を巻回することにより、例えば、獲物が掛かった状態（電源スイッチ・オン状態）で使用者がこの突起部材の手前側（根元部側）で釣糸を手の親指等で押さえ、即ち、手の指と釣竿の間で釣糸を押圧することにより、その前方の釣糸が前記突起部材にきつく巻き付いてブレーキが掛かった状態となり、もうそれ以上釣糸が繰出されない状態となる。
【００１４】
この状態で、釣竿の先端側を上方に持ち上げることにより獲物は手繰り寄せられることとなる。
次に、釣糸を押圧していた手の指の力を緩めてその押圧状態を解除しつつ、釣竿の先端側を下方に下げると、釣糸に負荷されていた獲物からの引っ張り力が減少して電動モータの回転力が勝り、釣糸が巻取りロールに巻き取られるのである。
釣竿の先端側が最下方に下げられた状態で、今度は先の第一の動作に戻り、突起部材の手前側を手の指で押さえると共に、釣竿の先端側を今度は上方に引き上げるのである。すると釣糸の繰出しは制御され、停止して、獲物は更に釣り人の側に引き寄せられることとなるのである。
以上の操作と動作により、獲物が掛かった状態から獲物を手繰り寄せることができる。
【００１５】
簡単に上記手順をまとめると以下の通りとなる。
先ず、釣針、釣餌、錘等必要なものを釣糸先端側にセットしておく。
電源スイッチ・オフの状態で、必要な距離分だけ釣糸を繰出しておく。投げ釣ならば、そのままの状態で投げ込み、釣針等を海又は川に投入する。そして、釣糸は突起部材に２、３回巻き付けて置き、獲物が掛かるのを待つ。
このとき、通常釣竿先端は、支持具に固定されているために最下端の位置にある。
【００１６】
獲物が掛かった時点で電源スイッチを一方の手の指先でオンに投入する。
電源が投入されると、電動モータは巻取り方向に回転トルクが掛かる。しかし、この回転トルクは、それ程大きくないので、この回転トルクのみで獲物を引き寄せることはできない。
次に、突起部材の手前側位置でその一方の同じ手で押圧する（電源スイッチを投入したその一方の手はスイッチを入れると直ぐにフリーとなっている）。この状態で、釣竿の先端側を上方に引き上げるように操作する。すると、手の指の位置から先端側の釣糸は、突起部材によってロックされた状態となって、獲物が引き寄せられる。
【００１７】
釣竿の先端部が最上方に到達した後、今度は手の指の釣糸押圧力を緩めると同時に、釣竿先端側を下方に下げる。すると電動モータにより釣糸は巻取りロールに巻き取られる。
釣竿の先端が最下端に到達した後、再度、突起部材の手前位置で一方の手の指で釣糸を押圧することにより釣糸は突起部材によりロックされ、再度釣竿の先端側を上方に引き上げる。これにより獲物は再度釣り人の側に手繰り寄せられるのである。
以上の操作及び動作を繰り返して獲物を釣り上げることができるのであるが、その間使用するのは右手或は左手の一本の手で獲物を手繰り寄せることが可能となるのである。
【００１８】
本発明の第２のものにおいては、電動モータの駆動軸と巻取りロールとを直接接続して何らの伝達手段をも利用していないために、その構造が極めて簡単となり、釣竿の太さ等を何ら変更せずに本発明の構成要素の全てを内蔵することができる。
特に、電動モータの駆動軸の方向を釣竿の長手方向と略同一としたことにより、釣竿の握り部分の外径を使用するマイクロモータの外径とほぼ同じとすることができ、根元部分が細い釣竿にも適用することができる。
【００１９】
本発明の第３のものにおいては、突起部材の突出方向は、釣竿の半径方向の何れの方向でも良いのであるが、その方向を釣竿の長手方向に対して平面視右又は左方向に変更自在に設けたことにより、左利きの使用者に対してはその突起部材を左方向に突出させ、右利きの使用者に対しては、その突起部材を右方向に変更して突出させることができ、右利き又は左利きの何れの使用者に対しても都合のよい形態に設計変更することができる。
【００２０】
本発明の第４のものにおいては、本発明の構成要素を内蔵する釣竿の握り部分を別体に形成し、釣竿の根元側端部に取り外し自在に形成したので、他の釣竿に簡単に付け替えることも可能となり、その時の状況に適合させて最適な釣竿を選択して、その釣竿にこの別体からなる本発明の構成要素を内蔵する握り部分を取り付け、使用することができる。
【００２１】
本発明の第５のものにおいては、電源部を別体に形成して、握り部分の外部に形成したために、握り部分の内部に電源部を備えた場合には単三又は単四乾電池を使用せざるを得ないところ、その電源部として例えば単一乾電池を複数本セットできるものとして構成することができ、或は充電式のやや大きめのバッテリーを使用することもでき、その電力の増大及び使用時間の延長を図ることができる。
【発明を実施するための最良の形態】
【００２２】
以下、添付の図面と共に本発明の実施形態について説明する。
図１は、本発明の実施形態に係る電動釣竿１の要部説明図である。
この電動釣竿１は、海釣り用の一般的なもので、根元部分の握り部分１０の最大外径は約３５ｍｍ程度のもので、リールは付いていない。
また、この電動釣竿１は、上記握り部分１０が別体に形成されており、その先端部には雄ネジ部１１が形成され、釣竿本体部２０の筒体基端部内側に形成された雌ネジ部２１と相互に螺合して結合される。
【００２３】
握り部分１０の内部には、単四乾電池２本を並列接続した電源部１２と、この電源部１２に接続されたＤＣマイクロモータ１３と、このＤＣマイクロモータ１３の駆動軸１４の先端に固定された釣糸２５を巻き取るための巻取りロール１５が内蔵されている。
このようにＤＣマイクロモータ１３の駆動軸１４を電動釣竿１の長手方向に配置し、且つ駆動力伝達手段を一切使用せずにその駆動軸１４に直接巻取りロール１５を接続、固定することにより、その体積を細長く、コンパクトにすることができ、握り部分１０内に極めて容易に内蔵させることができる。即ち、釣竿の外径を大きくすることなく、これら構成要素を容易に内蔵することが出来るのである。
【００２４】
実際には、電源部１２とマイクロモータ１３とを一つの円筒状のプラスチック・ハウジングに内蔵し、そのハウジングからマイクロモータ１３の駆動軸１４をその外部に導出し、その駆動軸１４の端部に巻取りロール１５を固定することにより、これらの構成要素を一つのユニットに形成し、釣竿１の握り部分１０内に簡単に挿入できるようにしている。
図中、１６は、マイクロモータ１３の電源を投入し且つ切断するための電源スイッチを示しており、これを前方方向にスライドさせることにより、電源がオンとなり、手前方向にスライドさせることにより電源がオフとなる。
【００２５】
釣糸２５は、この実施形態では、柔軟で且つ丈夫なポリエステル糸を使用している。
この釣糸２５の一方端は、巻取りロール１５に固定され、巻取りロール１５の配置位置の握り部分１０の対応位置に設けられた挿通孔１８を通過して外部に導出され、釣竿１の先端部側の適宜位置に設けた突起部材３０の貫通孔（後に説明する）を挿通させて、釣竿１の先端部まで案内され、その釣糸２５の先端部分に釣針、錘等の必要備品が装置されるのである。
ここで、この電動釣竿１を使用する際には、上記釣糸２５を上記突起部材３０に、２、３回乃至３、４回巻き付けて使用する。使用手順は後程説明する。
【００２６】
突起部材３０には、後に説明するが、その突起部材３０を支持する台座３１が設けられており、この台座３１の中央部から上方に突出する突出部から図１では、右方向に突出するように突起部材３０が設けられている。従って、この突起部材３０は、電動釣竿１の長手方向と平面視直交する右手方向に突出しているが、台座３１は、前後逆に取付部に取り付けることが可能なために、この突起部材３０を図１とは１８０度逆に左方向に突出させるように取り付けることも可能である。
【００２７】
このように構成したのは、この突起部材３０に上記したように釣糸を２、３回乃至３、４回巻き付けて使用するために、右利きの使用者の場合には、この突起部材３０を右方向に突出させ、左利きの使用者の場合にはそれを左方向に突出させることにより、釣糸２５を突起部材３０に巻回する際に都合が良いものとなる。
尚、握り部分１０を別体に形成せずに、釣竿の根元部に一体的に固定して形成してもよいことは勿論のことである。
【００２８】
図２は、上記握り部分１０の拡大説明図である。
上記した通り、この握り部分１０の内部には、電源部１２と、ＤＣマイクロモータ１３と、巻取りロール１５とが内蔵されており、これらの構成要素のうち前二者は、一つの略円筒形状のプラスチックハウジング１７に収納され、握り部分１０の基端のキャップ１９を開放して、その内部に巻取りロール１５と共にハウジング１７ごと収納することができるのである。
巻取りロール１５にその一方端が固定された釣糸２５は、挿通孔１８を通過して外部に導出され、釣竿の先端部側に案内されるのである。
【００２９】
図３は、上記突起部材３０の部分の拡大説明図であって、図中右側に示したＴ方向が釣竿の先端側であり、図中左側に示したＲ方向がその根元部側である。
図４は、突起部材３０のみを拡大した説明図である。両図に基き以下説明する。
突起部材３０は、金属製の円柱形状のものからなり、図４から解る通り、その直径方向に貫通孔３２が設けられている。この貫通孔３２は、釣竿１の長手方向と平行に形成されており、この貫通孔３２に釣糸２５が挿通されることとなる。
そして、この貫通孔３２の両開口部の縁部には、釣糸が良好に滑るように金属製のリング体３２ｒをそれぞれ設けている。釣糸は、この貫通孔３２を挿通し、その後２、３回巻回させられるのであるが、このリング体３２ｒにより釣糸２５は極めて滑らかにこの貫通孔３２を挿通して滑動し、巻き取られたり、繰出されたりするのである。
【００３０】
この突起部材３０は、図３に示した通り、プラスチック製の台座３１の中央部から上方に突出する突出部３３から右方向に突出するように形成されている。そしてこの台座３１は、その中央を基準として前後対称に形成されている。従って、この台座３１は、前後逆に変更取り付けが簡単にできるものである。
台座３１は、取付部４０、４０によって取り付け、固定されるのであるが、図示煩雑化を避けるためと台座の形状を明瞭に表現するために、取付部４０、４０は破線により図示し、その詳細は省略している。
【００３１】
更に、根元部側Ｒに位置する取付部４０の上面部には、ゴム製シート体２６を貼り付けている。このゴム製シート体２６は、滑り止めとして機能を有するものである。つまり釣糸２５を手の指で押圧する際、このゴム製シート体２６の上でその押圧を行うのである。  これにより釣糸２５は、手の指とゴム製シート体２６の間で良好に押圧され、突起部材３０との巻回を介して、確実にその繰出しが停止されるのである。
このゴム製シート体２６は、その他の摩擦係数の大きい合成樹脂製素材によって形成することもできるし、その貼着位置も、上記のように取付部４０の上面でなくともよく、もう少し根元部側Ｒ寄りであってもよい。
【００３２】
上記の構成からなる突起部材３０の貫通孔３２に釣糸２５を挿通して、獲物を釣り上げるのであるが、実際に使用する際には、予め釣糸２５をこの突起部材３０の外周に２、３回巻き付けて使用するのである。
このように突起部材３０に釣糸２５を巻き付けておくことにより、獲物が釣針に掛かったときに、先ず、電源スイッチをオンにし、釣糸２５が繰出されてしまうことを防止する。
次に、獲物を引き寄せるために、釣竿１の先端を上方に引き上げるのであるが、そのときに手の指で、釣糸２５の突起部材３０の手前側（根元部側Ｒ）の部位、即ち、上記ゴム製シート体２６の上を抑えるのである。
【００３３】
すると、突起部材３０の先端部側の釣糸２５が引っ張られ、緊張した状態となり、突起部材３０に巻き付いた釣糸２５が突起部材３０の周りで締め付けられた状態となって、ロック状態となり、釣糸２５の繰出しが停止状態となるのである。
この状態を維持したままで、今度は、釣竿１の先端部側を上方に引き上げるのである。
釣糸２５は、ブレーキが掛かってロック状態のため、獲物は、釣竿の動作に伴って引き寄せられるのである。
【００３４】
図５は、本発明に係る電動釣竿１の使用状態を示す説明図である。
図示した通り、従来の釣竿同様に、例えばボートの縁部６０に支持具５０を利用して電動釣竿１を固定する。
即ち、釣竿１の握り部分１０の少し上方部分を支持具５０の回動自在の固定部５１に取り付けて、その少し前方の載置部５２に竿の下側と側方を支持させるのである。この支持具５０を利用することにより、釣り人は、常に釣竿を把持し且つ保持する必要がなくなり、獲物が掛かったときにのみポンピング動作を行い、獲物を釣り上げることができる。
【００３５】
釣竿１を支持具５０に取り付けた後は、釣糸２５の先端部に釣針や釣り餌、錘等をセットして、海面に投げ込み、最後に釣糸２５を突起部材３０に２、３回巻き付けて準備完了である。
後は、獲物が餌に食いつき、釣針に引っ掛かるのを待つのである。
獲物が掛かった後は、上に述べたとおり、電源スイッチ１６をオンにし、次に突起部材３０の手前のゴム製シート体２６の上で釣糸２５を手の指で押圧し、釣竿１の先端側を上方に腕の力を使って持ち上げるのである。
【００３６】
これにより、釣糸２５は、突起部材３０の部位でブレーキが掛かり、ロックされて、獲物が引き寄せられるのである。
次に、釣糸への指の力を抜いて釣竿１の先端部側を下方にさげると、電動マイクロモータの作用により、釣糸２５が巻取りロールに巻き取られる。
そして、釣竿１の先端部側が下端に位置した段階で、再度手の指で突起部材３０の手前のゴム製シート体２６の上で釣糸２５を押圧して釣竿１を上方に持ち上げる。これにより釣糸２５は突起部材３０によりロックされ、獲物は引き寄せられる。
上記一連の動作を繰り返して獲物を釣り上げることが出来るのである。
尚、図５では、親指をゴム製シート体２６の位置から少し離れた位置に描いているが、これはゴム製シート体２６等を明瞭に描くためである。釣糸２５を押圧する際には、この親指をゴム製シート体２６の上に置いて、釣糸２５を押圧するのである。
【００３７】
以上、実施形態について説明したが、本発明においては以下の通り種々設計変更することが可能である。
まず、本発明においては、電源部、電動モータ、巻取りロールが釣竿の根元部側の握り部分内にそのまま、つまり、釣竿の形態を全く変更させずに内蔵できることが第一であり、この条件を満たすものであれば、どのような構成要素でも採用することができる。
【００３８】
従って、ＤＣマイクロモータも各種の大きさのものがあるが、所望の外径寸法のものを選んで設置することができる。そして、その駆動トルクは、あまり大き過ぎないことが肝要であり、獲物が掛かった際に、その引張り力と均衡できる程度のものが極めて相応しいのである。
というのも、そのトルクが大きすぎると、獲物の引く力と巻取りトルクが相乗して釣糸が切れてしまう恐れがあるからであり、人間のポンピング動作を介して徐々に獲物を引き寄せることが出来る程度のトルクが極めて望ましいからである。
【００３９】
電源部は、上記の実施形態では、単四乾電池２個を並列にセットしたものを使用したが、これは単三乾電池でもよく、電源部を握り部分に内蔵しないタイプのものにあっては、単一乾電池を複数個（並列でも直列でも）セットしたものでも、或は繰り返し充電可能なバッテリーを用いてもよい。
電源スイッチもスライド式でなく、握り部分の適宜位置に押しボタン形式のものを設けてもよいが、握り部分に設けるスイッチのため、スライド式が好ましい。
釣糸の巻取りロールのサイズや形状も適宜必要に応じて設計することができるし、電動モータの駆動軸の長さも自由に設定することができる。
【００４０】
上記の実施形態では、電動モータの駆動軸と巻取りロールとを直接接続したが、勿論、ギヤ等の各種の駆動力伝達手段を利用してもよいことは勿論である。
この駆動力伝達手段を用いることにより、モータの駆動力や、駆動スピード等も調整可能にすることも出来る。
ただ本発明においては、トルクの比較的弱い直流モータを利用してため、駆動力の遮断装置は全く不要である。
【００４１】
本発明における突起部材は、上記の実施形態では、円柱形状の金属製のものを利用し、その円柱形状の直径方向に且つ竿の長手方向に貫通孔を設けたが、この貫通孔の機能は、釣糸が突起部材から外れてしまわないようにしたものである。
しかし、釣糸がこの突起部材の外周を２、３回乃至３、４回巻回した状態で、釣糸がその突起部材の外周面を滑って巻き取られ、繰出されたりするのであるが、その滑り摺動状態において釣糸がこの突起部材の外周面から外れてしまわないような他の構成が可能であれば、どのような構成であっても良いものである。
【００４２】
例えば、円柱形状の突起部材の先端部にフランジ部を形成して、突起部材の外周に巻き付けられた釣糸がその外周面から先端部外側に外れてしまわないような形状に形成すれば、
貫通孔を設けなくとも実施可能である。
従って、突起部材は、釣糸のガイドと、釣糸の繰出しと巻き取りの制御を行うブレーキング機能を持たせうることが出来るのであれば、どのような形状のものでも採用することができるのである。
【００４３】
従って、この突起部材を円柱形状の金属製のものでなく、金属製ワイヤー等の線条材によって適宜形状に形成することもできる。
また、この突起部材が突出する方向も、平面視右又は左方向でなく、上方向等その他の方向に突出させることも自由であるが、使い勝手を考慮すれば、即ち、釣糸の巻き付け作業を容易にするために、やはり平面視右又は左方向が好都合である。
以上、本発明においては、完全に片手で操作することができる電動釣竿を開発することができ、とりわけハンディキャップを負った人々でも容易に釣りを楽しむことができる釣竿を提供することができたものである。
【図面の簡単な説明】
【００４４】
【図１】本発明の実施形態に関する要部説明図である。
【図２】本発明の実施形態に係る握り部分に関する拡大説明図である。
【図３】本発明の実施形態に係る突起部材の部分に関する拡大説明図である。
【図４】本発明の実施形態に係る突起部材の拡大説明図である。
【図５】本発明の実施形態に係る電動釣竿の使用状態を示す要部説明図である。
【符号の説明】
【００４５】
１  電動釣竿
１０  握り部分
１２  電源部
１３  ＤＣマイクロモータ
１４  駆動軸
１５  巻取りロール
１６  電源スイッチ
１８  挿通孔
２５  釣糸
３０  突起部材
３１  台座
３２  貫通孔
【図１】
2007275078.tif 000003
【図２】
2007275078.tif 000004
【図３】
2007275078.tif 000005
【図４】
2007275078.tif 000006
【図５】
2007275078.tif 000007